(57)【要約】【課題】適切な診断支援を行うことができる変換装置、変換方法、及びプログラムを得る。【解決手段】変換装置１６は、医療画像のレポートに用いられる単語表記のカテゴリを選択する選択部４４と、複数種類のカテゴリの単語表記が対応付けられた変換テーブル３２を参照し、レポートの入力済みの単語表記を、選択部４４により選択されたカテゴリの単語表記に変換する変換部４６と、を備える。【選択図】図４
2019149124.tif 000002
【特許請求の範囲】
【請求項１】
医療画像のレポートに用いられる単語表記のカテゴリを選択する選択部と、
複数種類の前記カテゴリの単語表記が対応付けられた対応付け情報を参照し、前記レポートの入力済みの単語表記を、前記選択部により選択されたカテゴリの単語表記に変換する変換部と、
を備えた変換装置。
【請求項２】
前記変換部による変換により得られた単語表記に対応する標準的な人体データの領域を視認可能に表示装置に表示する制御を行う表示制御部
を更に備えた請求項１に記載の変換装置。
【請求項３】
前記変換部による変換により得られた単語表記に対応する前記レポートの対象とする画像上の領域を視認可能に表示装置に表示する制御を行う表示制御部
を更に備えた請求項１に記載の変換装置。
【請求項４】
前記レポートの対象とする臓器は、脳であり、
前記複数種類の前記カテゴリは、血管支配領域及び解剖学的領域を含む
請求項１から請求項３の何れか１項に記載の変換装置。
【請求項５】
前記レポートの対象とする臓器は、脳であり、
前記複数種類の前記カテゴリは、複数種類の解剖学的領域を含む
請求項１から請求項３の何れか１項に記載の変換装置。
【請求項６】
前記レポートの対象とする臓器は、肺であり、
前記複数種類の前記カテゴリは、解剖学的領域、筋肉支配領域、骨支配領域、気道支配領域、及び血管支配領域の２つ以上を含む
請求項１から請求項３の何れか１項に記載の変換装置。
【請求項７】
前記レポートの対象とする臓器は、肺であり、
前記複数種類の前記カテゴリは、複数種類の解剖学的領域を含む
請求項１から請求項３の何れか１項に記載の変換装置。
【請求項８】
前記医療画像の種別に適した前記カテゴリの候補を提示する提示部を更に備えた
請求項１から請求項７の何れか１項に記載の変換装置。
【請求項９】
医療画像のレポートに用いられる単語表記のカテゴリを選択し、
複数種類の前記カテゴリの単語表記が対応付けられた対応付け情報を参照し、前記レポートの入力済みの単語表記を、選択したカテゴリの単語表記に変換する
処理をコンピュータが実行する変換方法。
【請求項１０】
医療画像のレポートに用いられる単語表記のカテゴリを選択し、
複数種類の前記カテゴリの単語表記が対応付けられた対応付け情報を参照し、前記レポートの入力済みの単語表記を、選択したカテゴリの単語表記に変換する
処理をコンピュータに実行させるためのプログラム。
【発明の詳細な説明】
【技術分野】
【０００１】
本開示は、変換装置、変換方法、及びプログラムに関する。
【背景技術】
【０００２】
従来、医用検査の検討結果に関するレポートの作成を支援するレポート作成支援システムが開示されている（特許文献１参照）。このレポート作成支援システムでは、レポートの作成に必要な情報が、複数種類の入力形式を選択的に使って入力可能になっている。
【０００３】
また、頭部画像から動脈瘤候補を検出し、検出した動脈瘤候補の特徴量を算出し、算出した特徴量を用いて読影レポートのテンプレート文を生成する読影支援装置が開示されている（特許文献２参照）。
【０００４】
また、入力された医用情報に含まれる所定情報と同種の所定情報を含む医用情報が記憶部に記憶されていると判断した場合に、入力された所定情報及び同種の所定情報の優先順位を比較し、いずれが上位か判定する医用情報処理装置が開示されている（特許文献３参照）。この医用情報処理装置は、入力された所定情報の優先順位の方が上位と判定された場合に、入力された医用情報を記憶部に記憶する。
【先行技術文献】
【特許文献】
【０００５】
【特許文献１】特開２００１−１２６００７号公報
【特許文献２】特開２００８−７９７７０号公報
【特許文献３】特開２００７−５８６２８号公報
【発明の概要】
【発明が解決しようとする課題】
【０００６】
ところで、医療画像のレポートに関して、例えば、医療画像の読影を行い、読影結果をレポートとして入力する読影医と、レポートを参照しながら患者に診察結果を伝える診察医が異なる場合がある。この場合、レポートの入力済みの単語表記のカテゴリが、レポートを参照する医師にとって適したカテゴリとなっていない場合がある。すなわち、この場合、適切な診断支援を行うことができない、という問題点があった。なお、この問題点は、医師が、過去に作成されたレポートを参照する場合にも発生する場合がある。しかしながら、特許文献１〜３に記載の技術では、この問題点については考慮されていない。
【０００７】
本開示は、以上の事情を鑑みて成されたものであり、適切な診断支援を行うことができる変換装置、変換方法、及びプログラムを提供することを目的とする。
【課題を解決するための手段】
【０００８】
上記目的を達成するために、本開示の変換装置は、医療画像のレポートに用いられる単語表記のカテゴリを選択する選択部と、複数種類のカテゴリの単語表記が対応付けられた対応付け情報を参照し、レポートの入力済みの単語表記を、選択部により選択されたカテゴリの単語表記に変換する変換部と、を備える。
【０００９】
なお、本開示の変換装置は、変換部による変換により得られた単語表記に対応する標準的な人体データの領域を視認可能に表示装置に表示する制御を行う表示制御部を更に備えてもよい。
【００１０】
また、本開示の変換装置は、変換部による変換により得られた単語表記に対応するレポートの対象とする画像上の領域を視認可能に表示装置に表示する制御を行う表示制御部を更に備えてもよい。
【００１１】
また、本開示の変換装置は、レポートの対象とする臓器が、脳であり、複数種類のカテゴリが、血管支配領域及び解剖学的領域を含んでもよい。
【００１２】
また、本開示の変換装置は、レポートの対象とする臓器が、脳であり、複数種類のカテゴリが、複数種類の解剖学的領域を含んでもよい。
【００１３】
また、本開示の変換装置は、レポートの対象とする臓器が、肺であり、複数種類のカテゴリが、解剖学的領域、筋肉支配領域、骨支配領域、気道支配領域、及び血管支配領域の２つ以上を含んでもよい。
【００１４】
また、本開示の変換装置は、レポートの対象とする臓器が、肺であり、複数種類のカテゴリが、複数種類の解剖学的領域を含んでもよい。
【００１５】
また、本開示の変換装置は、医療画像の種別に適したカテゴリの候補を提示する提示部を更に備えてもよい。
【００１６】
一方、上記目的を達成するために、本開示の変換方法は、医療画像のレポートに用いられる単語表記のカテゴリを選択し、複数種類のカテゴリの単語表記が対応付けられた対応付け情報を参照し、レポートの入力済みの単語表記を、選択したカテゴリの単語表記に変換する処理をコンピュータが実行するものである。
【００１７】
また、上記目的を達成するために、本開示のプログラムは、医療画像のレポートに用いられる単語表記のカテゴリを選択し、複数種類のカテゴリの単語表記が対応付けられた対応付け情報を参照し、レポートの入力済みの単語表記を、選択したカテゴリの単語表記に変換する処理をコンピュータに実行させるためのものである。
【発明の効果】
【００１８】
本開示によれば、適切な診断支援を行うことができる。
【図面の簡単な説明】
【００１９】
【図１】実施形態に係る診断システムの構成の一例を示すブロック図である。
【図２】実施形態に係る変換装置のハードウェア構成の一例を示すブロック図である。
【図３】実施形態に係る変換テーブルの一例を示す図である。
【図４】実施形態に係る変換装置の機能的な構成の一例を示すブロック図である。
【図５】実施形態に係るレポート作成処理の一例を示すフローチャートである。
【図６】実施形態に係るレポート作成時の表示画面の一例を示す図である。
【図７】実施形態に係るレポート参照処理の一例を示すフローチャートである。
【図８】実施形態に係るレポート参照時の表示画面の一例を示す図である。
【図９】変形例に係る医療画像の種別に適したカテゴリを提示する表示画面の一例を示す図である。
【発明を実施するための形態】
【００２０】
以下、図面を参照して、本開示の技術を実施するための形態例を詳細に説明する。
【００２１】
まず、図１を参照して、本実施形態に係る診断システム１０の構成を説明する。図１に示すように、診断システム１０は、複数台の撮影装置１２、画像管理装置１４、及び変換装置１６を含む。複数台の撮影装置１２は、ＣＴ（Computed Tomography）画像を撮影する撮影装置、及びＭＲＩ（Magnetic Resonance Imaging）画像を撮影する撮影装置等を含み、複数種類の医療画像が撮影可能とされる。
【００２２】
各撮影装置１２と画像管理装置１４とは、ネットワークを介して接続され、各撮影装置１２による撮影により得られた医療画像を示す医療画像データが画像管理装置１４に記憶される。また、画像管理装置１４と変換装置１６とはネットワークを介して接続される。画像管理装置１４の例としては、ＰＡＣＳ（Picture Archiving and Communication System）等が挙げられる。変換装置１６の例としては、パーソナルコンピュータ及びサーバコンピュータ等の情報処理装置が挙げられる。
【００２３】
次に、図２を参照して、本実施形態に係る変換装置１６のハードウェア構成を説明する。図２に示すように、変換装置１６は、ＣＰＵ（Central Processing Unit）２０、一時記憶領域としてのメモリ２１、及び不揮発性の記憶部２２を含む。また、変換装置１６は、液晶ディスプレイ等の表示部２３、キーボードとマウス等の入力部２４、及びネットワークに接続されるネットワークＩ／Ｆ（InterFace）２５を含む。ＣＰＵ２０、メモリ２１、記憶部２２、表示部２３、入力部２４、及びネットワークＩ／Ｆ２５は、バス２６に接続される。
【００２４】
記憶部２２は、ＨＤＤ（Hard Disk Drive）、ＳＳＤ（Solid State Drive）、及びフラッシュメモリ等によって実現される。記憶媒体としての記憶部２２には、変換プログラム３０が記憶される。ＣＰＵ２０は、記憶部２２から変換プログラム３０を読み出してからメモリ２１に展開し、展開した変換プログラム３０を実行する。
【００２５】
また、記憶部２２には、変換テーブル３２が記憶される。図３に、変換テーブル３２の一例を示す。図３に示すように、本実施形態に係る変換テーブル３２には、医療画像のレポートに用いられる単語表記のカテゴリとして、第１のカテゴリ及び第２のカテゴリが対応付けて記憶される。変換テーブル３２が複数種類のカテゴリの単語表記が対応付けられた対応付け情報の一例である。図３では、医療画像のレポートの対象とする臓器として脳を適用し、第１のカテゴリとして血管支配領域を適用し、第２のカテゴリとして解剖学的領域の一例としての脳葉を適用した例を示している。脳葉以外の解剖学的領域の例としては、運動野及び運動連合野等の領野と、ＢＡ４及びＢＡ６等のブロードマンの脳地図等が挙げられる。
【００２６】
また、本実施形態では、変換テーブル３２の第１のカテゴリが変換元のカテゴリであり、第２のカテゴリが変換先のカテゴリである場合について説明する。また、本実施形態に係る変換テーブル３２では、第１のカテゴリで表記された脳の領域全体が、対応する第２のカテゴリで表記された脳の領域に含まれるように、第１のカテゴリの単語表記と第２のカテゴリの単語表記とが対応付けられる。また、変換テーブル３２は、異なる複数の第１のカテゴリと第２のカテゴリとの組み合わせ毎に、記憶部２２に記憶される。
【００２７】
次に、図４を参照して、本実施形態に係る変換装置１６の機能的な構成について説明する。図４に示すように、変換装置１６は、取得部４０、受付部４２、選択部４４、変換部４６、表示制御部４８、及び送信部５０を含む。ＣＰＵ２０が変換プログラム３０を実行することで、取得部４０、受付部４２、選択部４４、変換部４６、表示制御部４８、及び送信部５０として機能する。
【００２８】
取得部４０は、画像管理装置１４から、画像管理装置１４に記憶された医療画像データ、及び医療画像データに対応するレポートを、ネットワークを介して取得する。
【００２９】
受付部４２は、ユーザにより入力部２４を介して入力された変換先の単語表記のカテゴリを含む変換指示を受け付ける。
【００３０】
選択部４４は、受付部４２により受け付けられた変換指示に含まれるカテゴリを、医療画像のレポートに用いられる単語表記のカテゴリとして選択する。
【００３１】
変換部４６は、レポートに入力済みの単語表記が属するカテゴリが第１のカテゴリであり、選択部４４により選択されたカテゴリが第２のカテゴリである変換テーブル３２を参照し、レポートに入力済みの単語表記に対応する第２のカテゴリの単語表記を取得する。そして、変換部４６は、レポートに入力済みの単語表記を、取得した単語表記に変換する。
【００３２】
表示制御部４８は、取得部４０により取得された医療画像データが示す医療画像と、その医療画像データに対応するレポートとを表示部２３に表示する制御を行う。また、表示制御部４８は、変換部４６による変換が行われた場合、レポートに入力済みの単語表記を、変換部４６による変換により得られた単語表記に置き換えて表示部２３に表示する制御を行う。
【００３３】
また、この場合、表示制御部４８は、標準的な人体データ（所謂人体アトラス）における変換部４６による変換により得られた単語表記に対応する脳の領域の位置を特定する。また、表示制御部４８は、特定した標準的な人体データにおける脳の領域の位置について、標準的な人体データと、取得部４０により取得された医療画像データが示す医療画像（すなわち、レポートの対象とする画像）とを用いた位置合わせを行うことによって、医療画像上の脳の領域の位置を導出する。そして、表示制御部４８は、導出した位置に従って、変換部４６による変換により得られた単語表記に対応する医療画像上の領域を視認可能に表示部２３に表示する制御を行う。
【００３４】
送信部５０は、医療画像のレポート、及びそのレポートに対応する医療画像上の脳の領域の位置を、ネットワークを介して画像管理装置１４に送信する。
【００３５】
次に、図５〜図８を参照して、本実施形態に係る変換装置１６の作用を説明する。ＣＰＵ２０が変換プログラム３０を実行することによって、図５に示すレポート作成処理、及び図７に示すレポート参照処理が実行される。図５に示すレポート作成処理は、例えば、ユーザにより入力部２４を介して、レポートの作成指示が入力された場合に実行される。本実施形態では、この作成指示に、レポートの対象とする医療画像データの識別情報が含まれる。また、図７に示すレポート参照処理は、例えば、ユーザにより入力部２４を介して、レポートの参照指示が入力された場合に実行される。本実施形態では、この参照指示に、参照対象とする医療画像データ及びレポートの識別情報が含まれる。
【００３６】
図５のステップＳ１０で、取得部４０は、レポートの作成指示に含まれる識別情報に対応する医療画像データを、ネットワークを介して画像管理装置１４から取得する。ステップＳ１２で、表示制御部４８は、ステップＳ１０の処理により取得された医療画像データが示す医療画像を表示部２３に表示する制御を行う。ユーザは、表示部２３に表示された医療画像に対応するレポートを、入力部２４を介して入力する。
【００３７】
ステップＳ１４で、受付部４２は、ユーザにより入力部２４を介して入力されたレポートを受け付ける。ステップＳ１６で、表示制御部４８は、標準的な人体データにおけるステップＳ１４の処理により受け付けられたレポートに含まれる単語表記に対応する脳の領域の位置を特定する。また、表示制御部４８は、特定した標準的な人体データにおける脳の領域の位置について、標準的な人体データと、ステップＳ１０の処理により取得された医療画像データが示す医療画像とを用いた位置合わせを行うことによって、医療画像上の脳の領域の位置を導出する。
【００３８】
そして、表示制御部４８は、一例として図６に示すように、導出した位置に従って、ステップＳ１０の処理により取得された医療画像データが示す医療画像上の領域を視認可能に表示部２３に表示する制御を行う。図６に示すように、本実施形態では、医療画像上におけるレポートに含まれる単語表記に対応する脳の領域が網掛けされた状態で、医療画像に重畳されて表示部２３に表示される。
【００３９】
ステップＳ１８で、送信部５０は、ステップＳ１４の処理により受け付けられたレポート、及びステップＳ１６の処理により特定されたレポートに含まれる単語表記に対応する脳の領域の位置を、ネットワークを介して画像管理装置１４に送信する。画像管理装置１４は、変換装置１６から送信されたレポート及び脳の領域の位置を、レポートの対象である医療画像データに対応付けて記憶する。画像管理装置１４が記憶したレポートは、図７に示すレポート参照処理で参照される。ステップＳ１８の処理が終了すると、レポート作成処理が終了する。
【００４０】
図７のステップＳ２０で、取得部４０は、レポートの参照指示に含まれる識別情報に対応する医療画像データ及びレポートを、ネットワークを介して画像管理装置１４から取得する。ステップＳ２２で、表示制御部４８は、ステップＳ２０の処理により取得された医療画像データが示す医療画像及びレポートを表示部２３に表示する制御を行う。ステップＳ２２の処理により、例えば、図６に示す画面が表示部２３に表示される。
【００４１】
ユーザは、レポートに含まれる単語表記のカテゴリを変換したい場合は、変換先の単語表記のカテゴリを含む変換指示を、入力部２４を介して入力する。ステップＳ２４で、受付部４２は、ユーザにより入力部２４を介して入力された変換先の単語表記のカテゴリを含む変換指示を受け付ける。ステップＳ２６で、選択部４４は、ステップＳ２４の処理により受け付けられた変換指示に含まれるカテゴリを、医療画像のレポートに用いられる単語表記のカテゴリとして選択する。
【００４２】
ステップＳ２８で、変換部４６は、レポートに入力済みの単語表記が属するカテゴリが第１のカテゴリであり、ステップＳ２６の処理により選択されたカテゴリが第２のカテゴリである変換テーブル３２を参照し、レポートに入力済みの単語表記に対応する第２のカテゴリの単語表記を取得する。そして、変換部４６は、レポートに入力済みの単語表記を、取得した単語表記に変換する。
【００４３】
ステップＳ３０で、表示制御部４８は、レポートに入力済みの単語表記を、ステップＳ２８の処理による変換により得られた単語表記に置き換えて表示部２３に表示する制御を行う。また、表示制御部４８は、標準的な人体データにおけるステップＳ２８の処理による変換により得られた単語表記に対応する脳の領域の位置を特定する。また、表示制御部４８は、特定した標準的な人体データにおける脳の領域の位置について、標準的な人体データと、ステップＳ２０の処理により取得された医療画像データが示す医療画像とを用いた位置合わせを行うことによって、医療画像上の脳の領域の位置を導出する。そして、表示制御部４８は、導出した位置に従って、ステップＳ２８の処理による変換により得られた単語表記に対応する医療画像上の領域を視認可能に表示部２３に表示する制御を行う。
【００４４】
ステップＳ３０の処理により、一例として図８に示すように、レポートの単語表記が変換され、変換後の単語表記に対応して脳の領域が更新された画面が、表示部２３に表示される。ステップＳ３０の処理が終了すると、レポート参照処理が終了する。
【００４５】
以上説明したように、本実施形態によれば、ユーザからの変換指示に応じたカテゴリに単語表記を変換しているため、適切な診断支援を行うことができる。
【００４６】
なお、上記実施形態では、血管支配領域の単語表記を脳葉の単語表記に変換する場合について説明したが、これに限定されない。例えば、血管支配領域の単語表記を脳の領野の単語表記、又はブロードマンの脳地図の単語表記に変換する形態としてもよい。また、例えば、脳葉等の解剖学的領域の単語表記を、血管支配領域の単語表記に変換する形態としてもよい。また、複数種類の解剖学的領域間で単語表記を変換する形態としてもよい。
【００４７】
また、上記実施形態では、レポートの対象とする臓器として脳を適用した場合について説明したが、これに限定されない。例えば、レポートの対象とする臓器として肺を適用する形態としてもよい。この場合、第１のカテゴリ及び第２のカテゴリとして、肺区域、肺葉、及び肺野等の複数種類の解剖学的領域を適用する形態が例示される。なお、肺区域の単語表記の例としては、Ｓ１（肺尖区）等が挙げられ、肺葉の単語表記の例としては、右上葉、右中葉、及び右下葉等が挙げられ、肺野の単語表記の例としては、上肺野等が挙げられる。
【００４８】
また、この場合、第１のカテゴリ及び第２のカテゴリとして、筋肉支配領域、骨支配領域、気道支配領域、及び血管支配領域等を適用する形態としてもよい。なお、筋肉支配領域の単語表記の例としては、内肋間筋及び外肋間筋等が挙げられ、骨支配領域の単語表記の例としては、第一肋骨及び第二肋骨等が挙げられる。また、気道支配領域の単語表記の例としては、中枢気道（主気管支を含む）等が挙げられ、血管支配領域の単語表記の例としては、右上肺静脈等が挙げられる。
【００４９】
また、上記実施形態では、撮影装置１２による撮影により得られたレポートの対象とする医療画像上に、変換部４６による変換により得られた単語表記に対応する領域を視認可能に表示部２３に表示する場合について説明したが、これに限定されない。変換部４６による変換により得られた単語表記に対応する標準的な人体データの領域を視認可能に表示部２３に表示する形態としてもよい。この場合、例えば、図６の医療画像の脳の画像に代えて、標準的な人体データを用いた脳の画像を表示する形態が例示される。
【００５０】
また、上記実施形態において、医療画像の種別に適した単語表記のカテゴリの候補を提示する形態としてもよい。この場合、レポートの対象とする医療画像にＣＴＡ（ＣＴ Angiography）画像及びＭＲＡ（ＭＲ Angiography）等の血管造影画像が含まれる場合、一例として図９に示すように、単語表記のカテゴリとして血管支配領域を推奨するメッセージを表示部２３に表示する形態が例示される。また、この場合、医療画像の種別に適した単語表記のカテゴリを提示せずに、レポートに入力済みの単語表記を、医療画像の種別に適したカテゴリの単語表記に変換する形態としてもよい。
【００５１】
また、上記実施形態でＣＰＵがソフトウェア（プログラム）を実行することにより実行した各種処理を、ＣＰＵ以外の各種のプロセッサが実行してもよい。この場合のプロセッサとしては、ＦＰＧＡ（Field-Programmable Gate Array）等の製造後に回路構成を変更可能なＰＬＤ（Programmable Logic Device）、及びＡＳＩＣ（Application Specific Integrated Circuit）等の特定の処理を実行させるために専用に設計された回路構成を有するプロセッサである専用電気回路等が例示される。また、上記各種処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【００５２】
また、上記実施形態では、変換プログラム３０が記憶部２２に予め記憶（インストール）されている態様を説明したが、これに限定されない。変換プログラム３０は、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の記録媒体に記録された形態で提供されてもよい。また、変換プログラム３０は、ネットワークを介して外部装置からダウンロードされる形態としてもよい。
【符号の説明】
【００５３】
１０  診断システム
１２  撮影装置
１４  画像管理装置
１６  変換装置
２０  ＣＰＵ
２１  メモリ
２２  記憶部
２３  表示部
２４  入力部
２５  ネットワークＩ／Ｆ
２６  バス
３０  変換プログラム
３２  変換テーブル
４０  取得部
４２  受付部
４４  選択部
４６  変換部
４８  表示制御部
５０  送信部
【図１】
2019149124.tif 000003
【図２】
2019149124.tif 000004
【図３】
2019149124.tif 000005
【図４】
2019149124.tif 000006
【図５】
2019149124.tif 000007
【図６】
2019149124.tif 000008
【図７】
2019149124.tif 000009
【図８】
2019149124.tif 000010
【図９】
2019149124.tif 000011